(57)【要約】【課題】釣り竿の竿体に取り付けられて釣り糸を案内する釣り糸ガイドが提供される。【解決手段】釣り糸ガイドは、リング保持部とリング保持部から延長する第１支脚部とを含む。リング保持部は、内周部と外周部、内周部と外周部との間で円周方向に延長する環状部とを含む。リング保持部は内周部でガイドリングと結合される。第１支脚部はリング保持部から下方に延長する。第１支脚部は外周部に繋がる一対の側面を有する。リング保持部は、一対のひねり部を含む。一対のひねり部は、外周部の一部及び環状部の一部を形成する。一対のひねり部は、環状部から第１支脚部の一対の側面に向かって外周部にそれぞれ捻られる。【選択図】図１０
2020036581.tif 000002
【特許請求の範囲】
【請求項１】
内周部と外周部と前記内周部と前記外周部との間で円周方向に延長する環状部とを含み、前記内周部でガイドリングと結合されるリング保持部と、
前記外周部に繋がる一対の側面を有し前記リング保持部から下方に延長する第１支脚部と、を含み、
前記リング保持部は、前記外周部の一部及び前記環状部の一部を形成して前記環状部から前記第１支脚部の一対の側面に向かって前記外周部にそれぞれ捻られた一対のひねり部を含む、
釣り糸ガイド。
【請求項２】
前記釣り糸ガイドを側方から見るとき、前記リング保持部は、前記ひねり部の上端から前記ひねり部の下端側に次第に減少する幅を有する、請求項１に記載の釣り糸ガイド。
【請求項３】
前記釣り糸ガイドを側方から見るとき、前記リング保持部の前記ひねり部の下端での幅と前記第１支脚部の上端での幅が同一である、請求項１に記載の釣り糸ガイド。
【請求項４】
前記第１支脚部は、前記第１支脚部が前記リング保持部に連結される連結部から延長して前記リング保持部に対して曲がった湾曲部を含み、
前記釣り糸ガイドを側方から見るとき、前記湾曲部の前方輪郭線は、前記リング保持部の前方輪郭線上にまたはそれより前方に位置する、請求項１に記載の釣り糸ガイド。
【請求項５】
前記一対のひねり部のそれぞれは、前記第１支脚部の一対の側面のうちの１つに向かって捻られつつ延長するひねり面と、前記外周部と前記ひねり面が会う外周輪郭線と、前記環状部と前記ひねり面が会う内周輪郭線と、を含み、
前記ひねり面は、前記環状部の一部を形成して前記外周輪郭線を介して前記外周部と接する第１面と、前記第１面から前記円周方向に連続して前記外周輪郭線と前記内周輪郭線を介して前記外周部と前記環状部にそれぞれ接しつつ前記第１支脚部の一対の側面のうちの１つに向かって捻られた第２面と、前記第２面から前記円周方向に連続して前記内周輪郭線を介して前記環状部と接しつつ前記外周部の一部を形成する第３面と、を含む、請求項１に記載の釣り糸ガイド。
【請求項６】
前記釣り糸ガイドを側方から見るとき、前記外周輪郭線は前記第１支脚部の前方輪郭線と連続し、前記内周輪郭線は前記第１支脚部の後方輪郭線と連続する、請求項５に記載の釣り糸ガイド。
【請求項７】
前記リング保持部の環状部からそれぞれ延長する一対の第２支脚部をさらに含み、
前記一対のひねり部は、前記第１支脚部が前記外周部に連結される連結部と前記一対の第２支脚部が前記環状部に連結される連結部との間にそれぞれ位置する、請求項１に記載の釣り糸ガイド。
【請求項８】
前記外周部は、前記内周部に沿って前記円周方向に延長して前記内周部に対して湾曲して釣り竿のチップに向かう曲面を有する、請求項１に記載の釣り糸ガイド。
【請求項９】
竿体と、
前記竿体に取り付けられる請求項１から請求項８のいずれか１項に記載の釣り糸ガイドと、を含む、釣り竿。
【請求項１０】
内周部と外周部と前記内周部と前記外周部との間で円周方向に延長する環状部とを有するリング保持部と、前記外周部に繋がる一対の側面を有し前記リング保持部から延長する第１支脚部と、を含み、前記リング保持部は、前記外周部の一部及び前記環状部の一部を形成して前記環状部から前記第１支脚部の一対の側面に向かって前記外周部にそれぞれ捻られた一対のひねり部を有する釣り糸ガイドに加工されるブランクであり、
前記リング保持部に加工され、前記外周部及び前記環状部を形成する曲げ縁部を有する頭部と、
前記頭部から延長して前記第１支脚部に加工される第１脚部と、を含み、
前記曲げ縁部は、前記第１脚部にそれぞれ隣接して前記第１脚部から遠ざかるほど半径方向に増加する第１曲げ幅をそれぞれ有する一対の第１曲げ縁部と、前記一対の第１曲げ部の間に位置して前記半径方向に一定の第２曲げ幅を有する第２曲げ縁部と、を含み、
前記第１曲げ縁部及び前記第２曲げ縁部が曲げられるに伴い、前記第１曲げ縁部の外周面が前記一対のひねり部として形成され、前記第２曲げ縁部の外周面が前記環状部の一部として形成される、ブランク。
【請求項１１】
前記第１曲げ縁部及び前記第２曲げ縁部が曲げられるとき、前記第１脚部が前記頭部に連結される連結部は曲げられない、請求項１０に記載のブランク。
【請求項１２】
前記釣り糸ガイドは、前記環状部からそれぞれ延長する一対の第２支脚部を有し、
前記第２曲げ縁部からそれぞれ延長して前記一対の第２支脚部に加工される一対の第２脚部をさらに含み、
前記一対の第１曲げ縁部は、前記第１脚部が前記頭部に連結される連結部と前記一対の第２脚部が前記第２曲げ縁部に連結される連結部との間にそれぞれ位置する、請求項１０に記載のブランク。
【発明の詳細な説明】
【技術分野】
【０００１】
本開示は、釣り竿に取り付けられて釣り糸を案内する釣り糸ガイド及びこれを備える釣り竿に関するものである。また、本開示は、釣り糸ガイドに加工されるブランクに関するものである。
【背景技術】
【０００２】
釣り竿において、釣り糸を案内する釣り糸ガイドは、釣り糸が通過するガイドリングと、巻き糸により釣り竿に固定されてガイドリングを保持するフレームとを有する。
【０００３】
ガイドリングは、セラミックのような硬質材料から形成される。フレームは、ステンレススチール、チタンまたは真鍮のような金属材料からなる金属板材をプレス加工（例えば、曲げ、ドローイング）して形成される。例えば、フレームは、ガイドリングを保持するリング保持部、巻き糸により釣り竿に固定される取付足、リング保持部を支持する支脚を一体に有するようにプレス加工により形成される。ガイドリングをフレームのリング保持部に嵌合して接着剤によりリング保持部に固定させることにより、釣り糸ガイドが製造され得る。
【０００４】
１つの釣り竿には複数の釣り糸ガイドが取り付けられる。例えば、全長約３ｍの釣り竿の場合、１０個前後の釣り糸ガイドが釣り竿に取り付けられ得る。これにより、釣り竿における釣り糸ガイドの重量割合が高くなるため、釣り糸ガイドの軽量化が釣り竿に必要である。釣りの途中に釣り糸は釣り糸ガイドを頻繁に覆い被さり、釣り糸ガイドに絡み得る。このため、釣り糸が頻繁に覆い被さるリング保持部は、釣り糸を損なわせないように、ドローイング加工により円筒状を有するように形成され得る。円筒状にドローイングされたリング保持部は、ガイドリングが周囲の事物と直接衝突して壊れることを防止することができる。
【０００５】
釣り糸ガイドの一例として、日本国公開特許公報第１９９９−２２５６２８号（特許文献１）は、円筒状にドローイングされたリング保持部を有する釣り糸ガイドを開示している。釣り糸ガイドのもう１つの例として、日本国登録特許公報第３０７２３１３号（特許文献２）は、支脚部がドローイングされたリング保持部から前方に直接曲げられた釣り糸ガイドを開示している。
【０００６】
図１及び図２を参照して従来技術による釣り糸ガイドを説明する。図１は、例えば、前記特許文献２が開示している釣り糸ガイドと類似の従来技術の釣り糸ガイドを示し、図２は、図１に示す従来技術の釣り糸ガイドの背面図である。従来技術による釣り糸ガイド（８００）は、ガイドリング（８１０）を保持する環状のリング保持部（８２０）と、リング保持部（８２０）から延長してリング保持部（８２０）に対して前方に曲げられた前方支脚部（８３０）とを有する。
【０００７】
前方支脚部（８３０）は、リング保持部（８２０）の環状体（８２１）に連結される連結端（８３１）で環状体（８２１）に対して前方に曲げられている。前方支脚部（８３０）は、環状体（８２１）の前面（８２２）と連結端（８３１）との間の部分を曲げ開始部（８３２）として環状体（８２１）に対して前方に曲げられる。環状体（８２１）の後面（８２３）と曲げられた前方支脚部（８３０）との間及び環状体（８２１）の前面（８２２）と曲げられた前方支脚部（８３０）との間には、凹部（ＣＰ）がそれぞれ形成されている。また、前方支脚部（８３０）は、環状体（８２１）の後面（８２３）に沿う平面よりも後方に突出しないように曲げられている。前方支脚部（８３０）が環状体（８２１）から直接曲げられるため、前方支脚部（８３０）の連結端（８３１）と環状体（８２１）との間には、環状体（８２１）の下部が外側に拡張及び変形されて、変形部（ＤＰ）が形成されざるを得ない。前方支脚部（８３０）の曲げに伴い、変形部（ＤＰ）は過度な伸びを受け、これにより変形部（ＤＰ）には割れまたは破断が発生し得る。
【０００８】
図１に示す曲げ開始部（８３２）は、環状体（８２１）の前面（８２２）から後方に離れて位置する。支脚部をリング保持部に対して曲げる場合、曲げ開始部はリング保持部の環状体の中間に位置することもでき、リング保持部の環状体の前面付近に位置することもできる。釣り糸は、凹部（ＣＰ）に容易に引っ掛かることがある。凹部（ＣＰ）の深さを浅くするためには、支脚部の曲げが始まる曲げ開始部を前面（８２２）側に移動させる必要がある。しかし、曲げ開始部の位置は、支脚部を屈曲させる加工の難易度を考慮して決定される必要がある。
【０００９】
図３Ａ〜図３Ｄを参照し、リング保持部がブランクから加工され、支脚部がリング保持部に対して曲げられる従来技術の例を説明する。ブランクは、釣り糸ガイドを平面に展開させた形状を有し、金属板材からブランキング加工により得られた加工物を意味する。
【００１０】
図３Ａは、従来技術による釣り糸ガイドの製造に用いられるブランクの一部を示す。図３Ａを参照すると、従来技術によるブランク（９００）は、円板部（９１０）と脚部（９２０）を有することができる。円板部（９１０）は、実質的な円形を有し、図１に示すリング保持部（８２０）の環状体（８２１）に加工され得る。脚部（９２０）は、円板部（９１０）から延長し、図１に示す前方支脚部（８３０）に加工され得る。
【００１１】
図３Ｂは、ブランクの円板部をドローイングを通じてリング保持部の環状体に加工する例を示す。図３Ａに示す円板部（９１０）の縁部分全体を円筒状にドローイングして図１に示すリング保持部（８２０）の環状体（８２１）を形成する。ドローイングされた環状体（８２１）は、環状体（８２１）の前方に位置する環状の前面（８２２）と、環状体（８２１）の後方に位置する環状の後面（８２３）とを有する。環状体（８２１）は、円板部（９１０）の全周が円板部（９１０）に対して垂直に曲げられることで形成される。円板部（９１０）が環状体（８２１）に加工される途中、脚部（９２０）が円板部（９１０）の曲げられる縁部分と共に円板部（９１０）に対して垂直に移動する。即ち、円板部（９１０）が円筒状にドローイングされると、図３Ｂに示すように、脚部（９２０）は、環状体（８２１）の後面（８２３）から突出して環状体（８２１）に対して垂直に位置する。
【００１２】
図３Ｃは、ドローイングされた環状体から曲げにより支脚部を加工する例を示す。図３Ｃを参照すると、支脚部（８３０）は、図３Ｂに示す垂直配向から図３Ａに示す水平配向に曲げられており、環状体（８２１）の前面（８２２）と支脚部（８３０）との間に凹部がないように環状体（８２１）から曲げられている。凹部を排除させるために、図３Ｂ及び図３Ｃに示すように、環状体（８２１）の前面（８２２）と脚部（９２０）との間のコーナー部が脚部（９２０）の曲げが開始される部分となり得る。即ち、曲げ開始部（８３２）が環状体（８２１）の前面（８２２）と脚部（９２０）との間のコーナー部と設定され得る。この場合、脚部（９２０）に曲げ加工を行う際に、環状体（８２１）の下部、後面（８２３）の下部及び曲げ開始部（８３２）を含む部分（図３Ｂで参照文字ＢＰで指示された部分）が下側及び外側に反り返って変形され、環状体（８２１）と支脚部（８３０）との間にラウンドされた変形部（ＤＰ）を形成する。脚部（９２０）の曲げ加工により、変形部（ＤＰ）は無理に伸び、変形部（ＤＰ）の表面に割れ（ＳＣ）が発生する。このような割れ（ＳＣ）は、釣り糸ガイドの強度を低下させる。また、割れ（ＳＣ）が変形部（ＤＰ）に発生した釣り糸ガイドが釣りに用いられると、釣り糸が変形部（ＤＰ）の割れに引っ掛かるようになり、これは釣り糸の切れを誘発する。
【００１３】
支脚部を曲げる過程で発生する割れを防止するように金属材料の伸び量を増やすためには、環状体（８２１）と脚部（９２０）との間で伸びる部分の断面積を増加させてプレス圧力を増加させることが考慮され得る。しかし、断面積を増やすためには、金属板材の厚さを厚くすることが必要であり、これは釣り糸ガイドの重量を増加させざるを得ない。また、曲げ加工時のプレス圧力を高くすると、曲げ加工の難易度が上昇し、プレススピードを低下させるようになり、これは釣り糸ガイドの生産性低下を誘発する。
【００１４】
図３Ｄは、従来技術による支脚部を曲げ加工するもう１つの例を示す。図３Ｄを参照すると、支脚部の曲げ加工の難易度を減少させるために、曲げ開始部（８３２）が環状体（８２１）の後面（８２３）と支脚部（８３０）との間に位置する。図３Ｄに示すように曲げ開始部（８３２）が位置すると、支脚部（８３０）の上端での変形部（ＤＰ）の伸び量が減少し得る。しかし、曲げ開始部（８３２）が環状体（８２１）の後面（８２３）に位置するため、環状体（８２１）（またはリング保持部）と支脚部（８３０）との間に凹部（ＣＰ）が形成されざるを得ない。このような凹部により、釣り糸が釣り糸ガイドに引っ掛かるようになり、ユーザーに釣り糸の引っ掛かりを解除する煩わしさを与える。
【先行技術文献】
【特許文献】
【００１５】
【特許文献１】日本国公開特許公報第１９９９−２２５６２８号
【特許文献２】日本国登録特許公報第３０７２３１３号
【発明の概要】
【発明が解決しようとする課題】
【００１６】
本開示の実施例は、前述の従来技術の問題を解決する。本開示の一実施例は、釣り糸を損なわずガイドリングの割れを防止することができるように円筒状にドローイングされたリング保持部を備える釣り糸ガイドを提供する。本開示の一実施例は、リング保持部と支脚部との間に釣り糸の引っ掛かりを引き起こす凹部を有さず、リング保持部と支脚部との間に釣り糸の切れを誘発する割れを有さない釣り糸ガイドを提供する。本開示の一実施例は、軽量で高い強度を有する釣り糸ガイドを提供する。本開示の一実施例は、釣り糸の引っ掛かりや絡みを防止してユーザーに釣り糸の引っ掛かりを解除する煩わしさを与えない釣り糸ガイドを提供する。本開示の一実施例は、前述の実施例の釣り糸ガイドに加工されるブランクを提供する。
【課題を解決するための手段】
【００１７】
開示された実施例の一側面は、釣り竿の竿体に取り付けられて釣り糸を案内する釣り糸ガイドに関連する。一実施例の釣り糸ガイドは、リング保持部とリング保持部から延長する第１支脚部とを含む。リング保持部は、内周部と外周部、内周部と外周部との間で円周方向に延長する環状部とを含む。リング保持部は内周部でガイドリングと結合される。第１支脚部はリング保持部から下方に延長する。第１支脚部は外周部に繋がる一対の側面を有する。リング保持部は一対のひねり部を含む。一対のひねり部は外周部の一部及び環状部の一部を形成する。一対のひねり部は、環状部から第１支脚部の一対の側面に向かって外周部にそれぞれ捻られる。
【００１８】
一実施例において、釣り糸ガイドを側方から見るとき、リング保持部は、ひねり部の上端からひねり部の下端側に次第に減少する幅を有する。
【００１９】
一実施例において、釣り糸ガイドを側方から見るとき、リング保持部のひねり部の下端での幅と第１支脚部の上端での幅が同一である。
【００２０】
一実施例において、第１支脚部は、第１支脚部がリング保持部に連結される連結部から延長してリング保持部に対して曲がった湾曲部を含む。釣り糸ガイドを側方から見るとき、湾曲部の前方輪郭線は、リング保持部の前方輪郭線上にまたはそれより前方に位置する。
【００２１】
一実施例において、一対のひねり部のそれぞれは、第１支脚部の一対の側面のうちの１つに向かって捻られつつ延長するひねり面と、外周部とひねり面が会う外周輪郭線と、環状部とひねり面が会う内周輪郭線とを含む。ひねり面は、環状部の一部を形成して外周輪郭線を介して外周部と接する第１面と、第１面から円周方向に連続して外周輪郭線と内周輪郭線を介して外周部と環状部にそれぞれ接しつつ第１支脚部の一対の側面のうちの１つに向かって捻られた第２面と、第２面から円周方向に連続して内周輪郭線を介して環状部と接しつつ外周部の一部を形成する第３面とを含む。
【００２２】
一実施例において、釣り糸ガイドを側方から見るとき、外周輪郭線は第１支脚部の前方輪郭線と連続し、内周輪郭線は第１支脚部の後方輪郭線と連続する。
【００２３】
一実施例において、釣り糸ガイドは、リング保持部の環状部からそれぞれ延長する一対の第２支脚部をさらに含む。一対のひねり部は、第１支脚部が外周部に連結される連結部と一対の第２支脚部が環状部に連結される連結部との間にそれぞれ位置する。
【００２４】
一実施例において、外周部は、内周部に沿って円周方向に延長して内周部に対して湾曲して釣り竿のチップに向かう曲面を有する。
【００２５】
開示された実施例のもう１つの側面は、前述の一実施例の釣り糸ガイドを備える釣り竿に関連し、釣り糸ガイドは竿体に取り付けられる。
【００２６】
開示された実施例のさらに他の側面は、前述の一実施例の釣り糸ガイドに加工される、釣り糸ガイド用ブランクに関連する。一実施例のブランクは、頭部と頭部から延長する第１脚部とを含む。ブランクの頭部は釣り糸ガイドのリング保持部に加工され、ブランクの第１脚部は釣り糸ガイドの第１支脚部に加工される。頭部は、リング保持部の外周部及び環状部を形成する曲げ縁部を有する。曲げ縁部は、第１脚部にそれぞれ隣接して第１脚部から遠ざかるほど半径方向に増加する第１曲げ幅をそれぞれ有する一対の第１曲げ縁部と、一対の第１曲げ部の間に位置して半径方向に一定の第２曲げ幅を有する第２曲げ縁部とを含む。第１曲げ縁部及び第２曲げ縁部が曲げられるに伴い、第１曲げ縁部の外周面が一対のひねり部として形成され、第２曲げ縁部の外周面が環状部の一部として形成される。
【００２７】
一実施例において、第１曲げ縁部及び第２曲げ縁部が曲げられるとき、第１脚部が頭部に連結される連結部は曲げられない。
【００２８】
一実施例において、釣り糸ガイドは、環状部からそれぞれ延長する一対の第２支脚部を有し、ブランクは、第２曲げ縁部からそれぞれ延長して一対の第２支脚部に加工される一対の第２脚部を含む。一対の第１曲げ縁部は、第１脚部が頭部に連結される連結部と一対の第２脚部が第２曲げ縁部に連結される連結部との間にそれぞれ位置する。
【発明の効果】
【００２９】
一実施例による釣り糸ガイドによると、曲線状を有するようにドローイングされたリング保持部は、釣り糸の損傷やガイドリングの割れを防止することができる。一実施例による釣り糸ガイドは、釣り糸が引っ掛かりを引き起こす凹部と、釣り糸の切れを誘発する割れをリング保持部と支脚部から排除させることができる。一実施例による釣り糸ガイドは、向上した撓み耐力と軽量を有することができる。
【図面の簡単な説明】
【００３０】
【図１】従来技術の釣り糸ガイドを示す側面図である。
【図２】図１に示す釣り糸ガイドの背面図である。
【図３Ａ】従来技術による釣り糸ガイドに加工されるブランクの一部を示す図である。
【図３Ｂ】図３Ａに示すブランクの円板部がドローイング加工によりリング保持部の環状体に加工される例を示す図である。
【図３Ｃ】図３Ｂに示すドローイングされたリング保持部の環状体から曲げ加工により支脚部が加工される例を示す図である。
【図３Ｄ】図３Ｂに示すドローイングされたリング保持部の環状体から曲げ加工により支脚部が加工されるもう１つの例を示す図である。
【図４】一実施例による釣り糸ガイドを備える一実施例による釣り竿を示す側面図である。
【図５】一実施例による釣り糸ガイドの側面図である。
【図６】一実施例による釣り糸ガイドの正面図である。
【図７】一実施例による釣り糸ガイドの背面図である。
【図８】一実施例による釣り糸ガイドの底面図である。
【図９】一実施例による釣り糸ガイドの前方斜視図である。
【図１０】一実施例による釣り糸ガイドの後方斜視図である。
【図１１】一実施例による釣り糸ガイドの一部を拡大して示す側面図である。
【図１２】一実施例による釣り糸ガイドの側面図と背面図を共に示す図である。
【図１３】一実施例による釣り糸ガイドと釣り糸を示す図である。
【図１４】釣り糸が釣り糸ガイドを覆い被せる状態を例示す図である。
【図１５】釣り糸がリング保持部と支脚部との間で絡む例を示す図である。
【図１６】図１５に示す釣り糸の移動を示す図である。
【図１７】図１６の７１−７１線に沿って取った断面形状の一部を示す図である。
【図１８】図１６に示す釣り糸の移動を示す図である。
【図１９】図１６に示す釣り糸の移動を示す図である。
【図２０】絡んだ釣り糸が移動され得ない比較例を示す図である。
【図２１】リング保持部に直角の稜が形成された比較例を示す図である。
【図２２】一実施例の釣り糸ガイドに加工されるブランクを示す図である。
【図２３】ブランクの頭部と支脚部の一部を概略的に示す図である。
【図２４】ブランクの頭部と支脚部の一部を示し、頭部の輪郭線を示す図である。
【図２５】ドローイング前のブランクの頭部、ドローイングダイ及びドローイングパンチを概略的に示す図である。
【図２６Ａ】図２５の８１−８１線に沿って取った概略的な断面形状を示す図である。
【図２６Ｂ】図２５の８２−８２線に沿って取った概略的な断面形状を示す図である。
【図２６Ｃ】図２５の８３−８３線に沿って取った概略的な断面形状を示す図である。
【図２６Ｄ】図２５の８４−８４線に沿って取った概略的な断面形状を示す図である。
【図２７】ドローイングされたブランクの頭部、ドローイングダイ及びドローイングパンチを概略的に示す図である。
【図２８Ａ】図２７の９１−９１線に沿って取った概略的な断面形状を示す図である。
【図２８Ｂ】図２７の９２−９２線に沿って取った概略的な断面形状を示す図である。
【図２８Ｃ】図２７の９３−９３線に沿って取った概略的な断面形状を示す図である。
【図２８Ｄ】図２７の９４−９４線に沿って取った概略的な断面形状を示す図である。
【図２９】ドローイングされた頭部の背面図と側面図を共に示す図である。
【図３０】もう１つの実施例によるドローイングされた頭部の側面図と背面図を共に示す図である。
【図３１】さらに他の実施例による釣り糸ガイドの側面図と背面図を共に示す図である。
【図３２】１つの支脚部を有する釣り糸ガイドを例示する背面図である図である。
【図３３】実施例と比較例に対する撓み耐力の測定試験を例示する図である。
【図３４】撓み耐力測定試験の結果を示す図である。
【発明を実施するための形態】
【００３１】
本開示の実施例は、本開示の技術的思想を説明する目的で例示されたものである。本開示による権利範囲が、以下に提示される実施例やこれらの実施例に関する具体的説明で限定されるものではない。
【００３２】
本開示に用いられる全ての技術的用語及び科学的用語は、異なって定義されない限り、本開示が属する技術分野で通常の知識を有する者に一般的に理解される意味を有する。本開示に用いられる全ての用語は、本開示をさらに明確に説明する目的で選択されたものであり、本開示による権利範囲を制限するために選択されたものではない。
【００３３】
本開示で用いられる「含む」、「備える」、「有する」などのような表現は、当該表現が含まれる語句または文章で異なって言及されない限り、他の実施例を含む可能性を内包する開放型用語（ｏｐｅｎ−ｅｎｄｅｄ  ｔｅｒｍｓ）と理解されるべきである。
【００３４】
本開示で記述された単数型の表現は、異なって言及しない限り、複数型の意味を含み得、これは請求の範囲に記載された単数型の表現にも同様に適用される。
【００３５】
本開示で用いられる「第１」、「第２」などの表現は、複数の構成要素を相互に区分するために用いられ、当該構成要素の順序または重要度を限定するものではない。
【００３６】
本開示で、ある構成要素が他の構成要素に「連結されて」いたり、「接続されて」いると言及された場合、前記ある構成要素が前記他の構成要素に直接的に連結され得たり、接続され得るものとして、または新たな他の構成要素を介して連結され得たり、接続され得るものとして理解されるべきである。
【００３７】
本開示で用いられた「前方」、「前」などの方向指示語は、釣り竿のチップ（ｔｉｐ）に向かう方向を意味し、「後方」、「後」などの方向指示語は、釣り竿のバット（ｂｕｔｔ）に向かう方向を意味する。また、本開示で用いられた「上方」、「上」などの方向指示語は、ガイドリングが取付足に対して位置する方向を基準とし、「下方」、「下」などの方向指示語は、上方の反対方向を意味する。
【００３８】
本開示に用いられた「輪郭線」という用語は、釣り糸ガイドをいずれか１つの方向から見るとき、構成要素の最外側で見られる線または構成要素の縁をなす線をいう。例えば、「前方輪郭線」は、釣り糸ガイドの側面図で構成要素の最も前方に位置する縁をなす線をいう。例えば、「外周輪郭線」は、構成要素の最も外側の縁をなす線をいう。
【００３９】
以下、添付の図面を参照し、実施例を説明する。添付の図面で、同一または対応する構成要素には同一の参照符号が付与されている。また、以下の実施例の説明において、同一または対応する構成要素を重複して記述することが省略され得る。しかし、構成要素に関する記述が省略されても、そのような構成要素がある実施例に含まれないものと意図されるものではない。
【００４０】
図４は、本開示の一実施例による釣り竿を示す。図４で、矢印（ＴＤ）は、釣り竿のチップ（ｔｉｐ）に向かう前方方向を指し、矢印（ＢＤ）は、釣り竿のバット（ｂｕｔｔ）に向かう後方方向を指す。
【００４１】
図４を参照すると、釣り竿（１０）は、竿体（１１）を備える。竿体（１１）は、長い円筒状を有する。竿体（１１）は、釣り竿（１０）に作用する種々の外力に抵抗して、釣り竿（１０）の形状を維持する構造物として機能する。竿体（１１）は、１つの管状竿からなり得る。他の例として、竿体（１１）は、複数の管状竿からなり得る。釣り竿（１０）は、その後端付近にリールシート（１２）を備え、リールシート（１２）には、釣り糸を巻いて収納するリール（図示せず）が除去可能に取り付けられ得る。
【００４２】
釣り竿（１０）は、竿体（１１）に取り付けられて釣り糸を案内する複数の釣り糸ガイド（１００）を備える。釣り糸ガイド（１００）は、仕掛けをキャストする際にリールから放出されたり、魚を釣り上げる際にリールに巻かれる釣り糸を案内する。図４に示すように、異なるサイズを有するものの同一の構成を有する複数の釣り糸ガイド（１００）が竿体（１１）に取り付けられ得る。
【００４３】
釣り糸ガイド（１００）は、取付足と巻き糸（１３）により竿体（１１）に固着され得る。即ち、取付足を竿体（１１）の外面に接触させて、巻き糸（１３）を前記取付足と前記取付足が位置する竿体（１１）の一部に稠密に巻き付けることにより、前記取付足が竿体（１１）に固着される。巻き糸（１３）が巻かれた後、巻かれた巻き糸（１３）に接着剤が塗布される。塗布された接着剤が硬化すると、巻かれた巻き糸（１３）に亘って接着剤コーティング（１４）が形成される。接着剤コーティング（１４）は、巻き糸が解けることを防止し、隣り合う巻き糸間の隙間を埋める。
【００４４】
本開示の一実施例による釣り糸ガイドの説明のために、図５〜図１２が参照される。図５〜図８は、一実施例による釣り糸ガイドの側面図、正面図、背面図及び底面図をそれぞれ示す。一実施例の釣り糸ガイドは、ガイドリングと、リング保持部と、支脚部とを含む。
【００４５】
ガイドリングと関連し、図５及び図６を参照する。ガイドリング（１１０）は、リング状を有し、その中に円形の孔（１１１）が形成されている。ガイドリング（１１０）の外周面は、平らな面で形成される。ガイドリング（１１０）は、孔（１１１）の内周面で釣り糸と接触する。釣り糸がガイドリング（１１０）の孔（１１１）を通過しながら、釣り糸ガイド（１００）によりガイドされる。ガイドリング（１１０）は、耐摩耗性に優れた硬質材料、例えば、セラミック材料からなることができる。
【００４６】
リング保持部及び支脚部と関連し、図５〜図８を参照する。リング保持部（１２０）は、ガイドリング（１１０）を保持するように構成される。支脚部（１３０,１４０）は、リング保持部（１２０）から延長し、リング保持部（１２０）を竿体（１１）に対して支持する。リング保持部（１２０）と支脚部（１３０,１４０）は、一体に形成される。例えば、金属シートをプレス加工（例えば、ブランキング）して、釣り糸ガイド（１００）を平面に展開させた形状を有するブランク（ｂｌａｎｋ）を金属シートから得ることができる。このブランクをプレス加工（例えば、ドローイング、曲げ）して、リング保持部（１２０）及び支脚部（１３０,１４０）が一体に形成された加工品を形成することができる。このような加工品の形成後、ガイドリング（１１０）がリング保持部（１２０）に結合され得る。ガイドリング（１１０）がリング保持部（１２０）に結合される部品であるため、リング保持部（１２０）及び支脚部（１３０,１４０）が一体に形成された加工品が釣り糸ガイド（１００）として参照されることもできる。
【００４７】
ガイドリング（１１０）に対応する円形のリング保持孔（１２１）がリング保持部（１２０）にリング保持部（１２０）の前後方向に開けられている。一例として、リング保持部（１２０）は、前記ブランクが有する略円形の部分を円筒状にドローイングし、ドローイングされた円筒状の部分にリング保持孔（１２１）を形成することで形成され得る。これにより、リング保持部（１２０）は、リング保持孔（１２１）が形成された環状体を含む。環状体としてのリング保持部（１２０）は、内周部（１２２）と外周部（１２３）と環状部（１２４）とを有する。
【００４８】
内周部（１２２）は、リング保持部（１２０）をなす環状体の内周面である。ガイドリング（１１０）は、内周部（１２２）でリング保持部（１２０）に嵌合により結合され得、内周部（１２２）とリング保持部（１２０）との間に接着剤を印加してガイドリング（１１０）をリング保持部（１２０）に固着することもできる。内周部（１２２）は、少なくとも環状の嵌合面（１２５）を有し、ガイドリング（１１０）は、嵌合面（１２５）に結合される。嵌合面（１２５）がリング保持孔（１２１）を限定する。
【００４９】
外周部（１２３）は、リング保持部（１２０）をなす環状体の外周面である。この実施例において、図５を参照すると、外周部（１２３）は、その前方縁で内周部（１２２）に会い、環状部（１２４）は、内周部（１２２）及び外周部（１２３）の後方縁に位置する。他の実施例として、環状部（１２４）は、内周部（１２２）及び外周部（１２３）の前方側に位置することもできる。また、この実施例において、外周部（１２３）は、その前方縁に沿って曲面（１２６）を有する。曲面（１２６）は、環状部（１２４）の反対側に位置し、釣り竿のチップに向かうように配置される。曲面（１２６）は、内周部（１２２）に沿って円周方向に延長し、内周部（１２２）に対して所定の曲率で湾曲している。図５に示すように、釣り糸ガイドを側方から見るとき、外周部（１２３）の曲面（１２６）がリング保持部（１２０）の前端面の一部を形成する。リング保持部（１２０）の前端面は、曲面（１２６）を除く領域で、平面を有することができる。例えば、外周部（１２３）と支脚部（１３０）の連結の部分でリング保持部（１２０）の前端面は平面を有することができる。
【００５０】
図５及び図７を参照すると、環状部（１２４）は、内周部（１２２）と外周部（１２３）との間でリング保持部（１２０）の円周方向に延長し、内周部（１２２）と外周部（１２３）を連結する。この実施例において、環状部（１２４）は釣り竿のバットに向かうように、即ち、後方方向に向かうように位置する。従って、図５に示すように、釣り糸ガイドを側方から見るとき、環状部（１２４）は、リング保持部（１２０）の後端面を形成する。釣り糸ガイドを側方から見るとき、リング保持部（１２０）の後端面は１つの平面ではなく、下側一部が残りに対して前端面側にさらに近く位置する。
【００５１】
支脚部（１３０，１４０）は、リング保持部（１２０）から延長する。支脚部（１３０，１４０）は、その一部で釣り竿の竿体（１１）に接触する。この実施例において、支脚部（１３０，１４０）は、第１支脚部（１３０）と一対の第２支脚部（１４０）とを含む。他の実施例の釣り糸ガイドは、第１支脚部（１３０）のみを備えることもできる。
【００５２】
第１支脚部（１３０）は、リング保持部（１２０）から下方に延長し、リング保持部（１２０）に対して傾いている。第１支脚部（１３０）は、第１支脚部（１３０）がリング保持部（１２０）に連結される連結部（１３１）と、連結部（１３１）から延長してリング保持部（１２０）に対して曲がった湾曲部（１３２）と、湾曲部（１３２）から延長する支持部（１３３）と、支持部（１３３）から延長する第１取付足（１３４）とを含む。
【００５３】
第１支脚部（１３０）は、第１取付足（１３４）で釣り竿の竿体（１１）と接触する。第１支脚部（１３０）は、連結部（１３１）、湾曲部（１３２）及び支持部（１３３）に、第１支脚部（１３０）の形状を限定する表面を有する。即ち、第１支脚部（１３０）は、一対の側面（１３５ＳＬ）と、前面（１３５ＳＦ）と、後面（１３５ＳＲ）を有する。側面（１３５ＳＬ）は、リング保持部（１２０）の外周部（１２３）に直接繋がる。また、側面（１３５ＳＬ）はリング保持部（１２０）の外周部（１２３）から延長する。前面（１３５ＳＦ）は、釣り竿のチップに向かい、後面（１３５ＳＲ）は、釣り竿のバットに向かう。後面（１３５ＳＲ）は、リング保持部（１２０）の環状部（１２４）に直接繋がる。
【００５４】
連結部（１３１）は、リング保持部（１２０）と第１支脚部（１３０）との間の境界部となる。連結部（１３１）は、外周部（１２３）から若干突出することができる。連結部（１３１）は、リング保持部（１２０）の下端領域で外周部（１２３）と環状部（１２４）から曲がることなく延長し、図３Ｃに示す割れのような欠陥を有さない。これは、ドローイング加工によりリング保持部（１２０）の環状体を形成するとき、連結部（１３１）がいかなる曲げ作用も受けず、変形されないためである。従って、連結部（１３１）で、環状部（１２４）の表面と第１支脚部（１３０）の後面（１３５ＳＲ）は、曲がっていない平らな表面をなす。また、連結部（１３１）で、外周部（１２３）の表面（リング保持部（１２０）の前端面の下側一部）と第１支脚部（１３０）の前面（１３５ＳＦ）は、曲がっていない平らな表面をなす。
【００５５】
湾曲部（１３２）は、連結部（１３１）から湾曲しており、支持部（１３３）は、湾曲部（１３２）から直線状に延長する。湾曲部（１３２）により、支持部（１３３）は、リング保持部（１２０）に対して所定の曲げ角（ＢＡ）で曲がっている。曲げ角（ＢＡ）は、リング保持部（１２０）と第１支脚部（１３０）との間で適切に選択され得る。実施例によっては、湾曲部（１３２）及び支持部（１３３）が円弧状に湾曲することもできる。
【００５６】
第１取付足（１３４）は、支持部（１３３）に対して所定の曲げ角で曲がっている。第１取付足（１３４）は、竿体（１１）の外面と接触する下面（１３６）を有する。下面（１３６）は、丸く凹んだ面を含むことができる。支持部（１３３）と第１取付足（１３４）とは、リング保持部（１２０）が竿体（１１）の軸線に対して傾斜角（ＴＡ）で傾くように、曲がっている。このようなリング保持部（１２０）の傾きが、釣り糸の糸絡みの解除に効果的である。一例として、傾斜角（ＴＡ）は、竿体（１１）の軸線に対して０度〜４５度の範囲内で適切に選択され得る。実施例によっては、リング保持部（１２０）は、竿体（１１）の軸線に対して垂直に位置し得（即ち、傾斜角（ＴＡ）が０度の場合）、支持部（１３３）と第１取付足（１３４）とは、リング保持部（１２０）が垂直に位置するように曲がることができる。
【００５７】
各第２支脚部（１４０）は、リング保持部（１２０）の側端から下方及び後方に延長する。各第２支脚部（１４０）は、リング保持部（１２０）の環状部（１２４）から延長する。各第２支脚部（１４０）は、第２支脚部と環状部（１２４）を連結する連結部（１４１）と、連結部（１４１）から曲線状に延長する支持部（１４２）と、支持部（１４２）から延長する第２取付足（１４３）とを含む。連結部（１４１）は、環状部（１２４）と第２支脚部（１４０）の境界部となり、環状部（１２４）から直接延長する。各第２支脚部（１４０）は、その末端で互いに近接する。第２取付足（１４３）は、一対の支持部（１４２）から延長し、一対の支持部（１４２）に対して曲がっている。図８に示すように、第２取付足（１４３）は、Ｕ字状を取り、竿体（１１）の外面と接触する下面（１４４）を有する。下面（１４４）は、丸く凹んだ面を含むことができる。第２取付足（１４３）は、その中に、長さ方向に延長し第２取付足（１４３）を上下方向に貫通するスリット（１４５）を有する。
【００５８】
実施例の釣り糸ガイドにおいて、リング保持部（１２０）は、リング保持部（１２０）と支脚部（例えば、第１支脚部（１３０））との間の連結部（１３１）から上方に所定の範囲内で一対のひねり部（１５０）を備える。各ひねり部（１５０）は、支脚部（例えば、第１支脚部（１３０））に隣接する。ドローイング加工によりリング保持部（１２０）の環状体が形成されるとき、ひねり部（１５０）がリング保持部（１２０）の表面に生成される。
【００５９】
図９及び図１０はそれぞれ、図５に示す釣り糸ガイドの前方斜視図及び後方斜視図である。図１１は、リング保持部を拡大して示す側面図である。リング保持部に形成されたひねり部の詳細な説明のために、図９〜図１１が参照される。
【００６０】
一対のひねり部（１５０）は、第１支脚部（１３０）を基準として対称的にリング保持部（１２０）の下側に位置し、第１支脚部（１３０）の連結部（１３１）に隣接する。この実施例において、一対のひねり部（１５０）は、第１支脚部（１３０）が外周部（１２３）に連結される連結部（１３１）と一対の第２支脚部（１４０）が環状部（１２４）に連結される連結部（１４１）との間にそれぞれ位置する。第２支脚部を備えない実施例の釣り糸ガイドの場合、一対のひねり部（１５０）は、第１支脚部（１３０）の連結部（１３１）から相反する方向に所定の範囲内でリング保持部（１２０）に位置することができる。
【００６１】
各ひねり部（１５０）は、第１支脚部（１３０）の連結部（１３１）から第２支脚部（１４０）の連結部（１４１）に向かってリング保持部（１２０）の外周に沿って延長する。各ひねり部（１５０）は、第１支脚部（１３０）の側面（１３５ＳＬ）の上端から、または側面（１３５ＳＬ）の上端から若干離隔したリング保持部の外周部（１２３）から上方に延長する。各ひねり部（１５０）は、環状部（１２４）から第１支脚部（１３０）の側面（１３５ＳＬ）に向かって外周部（１２３）にそれぞれ連続的に捻られる。これにより、リング保持部（１２０）で、各ひねり部（１５０）は、外周部（１２３）の一部及び環状部（１２４）の一部を形成する。
【００６２】
一実施例において、各ひねり部（１５０）は、ひねり面（１５１）と、外周輪郭線（１５２ＣＯ）と、内周輪郭線（１５２ＣＩ）とを含む。ひねり面（１５１）は、環状部（１２４）から第１支脚部（１３０）の側面（１３５ＳＬ）に向かって外周部（１２３）に捻られる。外周輪郭線（１５２ＣＯ）で、外周部（１２３）とひねり面（１５１）が会い、内周輪郭線（１５２ＣＩ）で、環状部（１２４）とひねり面（１５１）が会う。従って、この実施例において、ひねり面（１５１）は、外周輪郭線（１５２ＣＯ）と、内周輪郭線（１５２ＣＩ）と、外周部（１２３）と第１支脚部（１３０）の側面（１３５ＳＬ）との間の境界（ＢＬ１）と、環状部（１２４）と第２支脚部（１４０）との間の境界（ＢＬ２）により限定され得る。
【００６３】
ひねり面（１５１）は、環状部（１２４）から第１支脚部（１３０）の側面（１３５ＳＬ）の上端に向かって捻られた曲面を含む。ひねり面（１５１）は、捻られつつ環状部（１２４）と外周部（１２３）に亘って延長する。釣り糸ガイド（１００）を後方及び下方から見ると、ひねり面（１５１）は、第２支脚部（１４０）と環状部（１２４）との間の境界（ＢＬ２）から反時計方向に捻られつつ第１支脚部（１３０）の側面（１３５ＳＬ）に向かって延長する。このように、ひねり面（１５１）が環状部（１２４）から外周部（１２３）に捻られるため、ひねり面（１５１）は、３つの面に区分され得る。即ち、ひねり面（１５１）は、上端に位置する第１面（１５３）と、第１面（１５３）から円周方向に連続する第２面（１５４）と、第２面（１５４）から円周方向に連続する第３面（１５５）とを含むことができる。第１面（１５３）は、環状部（１２４）の一部を形成し、外周輪郭線（１５２ＣＯ）を介して外周部（１２３）と接する。第２面（１５４）は、外周輪郭線（１５２ＣＯ）と内周輪郭線（１５２ＣＩ）を介して外周部（１２３）と環状部（１２４）にそれぞれ接しつつ第１支脚部（１３０）の一対の側面（１３５ＳＬ）のうちの１つに向かって捻られる。第３面（１５５）は、内周輪郭線（１５２ＣＩ）を介して環状部（１２４）と接しつつ外周部（１２３）の一部を形成する。ひねり面（１５１）のうちの第２面（１５４）は、環状部（１２４）と外周部（１２３）に亘るように捻られる。ひねり面（１５１）で、第２面（１５４）は、環状部（１２４）から外周部（１２３）に螺旋状に遷移する領域となり得る。
【００６４】
ひねり部（１５０）により、リング保持部（１２０）は、第１支脚部（１３０）が連結される下端へ行くほど次第に減少する幅を有する。ここで、前記幅とは、釣り糸ガイドを側方から見るとき、リング保持部（１２０）の前端面と後端面との間の最小距離を意味する。図１１を参照すると、釣り糸ガイドを側方から見るとき、リング保持部（１２０）は、外周部（１２３）の上端からひねり部（１５０）の上端までの領域（ＲＡ１）において、同一の幅（ＲＷ１）を有する。また、リング保持部（１２０）は、ひねり部（１５０）の上端からひねり部（１５０）の下端までの領域（ＲＡ２）において、ひねり部（１５０）の上端からひねり部（１５０）の下端側に次第に減少する幅（ＲＷ２）を有する。リング保持部（１２０）が下端側に次第に減少する幅（ＲＷ２）を有することは、リング保持部（１２０）にドローイングされるブランクの対応部分が変化する曲げ幅を有するためである。
【００６５】
ドローイング加工によりリング保持部（１２０）の環状体が形成されるとき、ドローイング加工に伴う曲げ作用によりひねり部（１５０）が形成されるものの、第１支脚部（１３０）の連結部（１３１）は、ドローイング加工に伴う曲げ作用を受けない。ひねり部（１５０）により、第１支脚部（１３０）の連結部（１３１）は、リング保持部（１２０）に対する曲げなしに、外周部（１２３）と環状部（１２４）に連結されている。リング保持部（１２０）のドローイング加工の途中に連結部（１３１）に対する曲げ作用なしに、リング保持部（１２０）に対するドローイング加工が完了する。このように金属材料を無理に伸ばす曲げ作用が連結部（１３１）に加えられないため、連結部（１３１）は変形されず、割れのような欠陥を有さない。従って、実施例による釣り糸ガイドにおいて、ひねり部（１５０）に隣接する連結部（１３１）を含む領域における厚さは、ドローイング加工により増加したり減少したりしない。即ち、図１１に示すように、釣り糸ガイドを側方から見るとき、リング保持部（１２０）のひねり部（１５０）の下端での幅（ＲＷ３）と第１支脚部（１３０）の上端での幅（ＬＷ）が同一である。
【００６６】
前述の通り、ドローイング加工によりリング保持部（１２０）の環状体が形成されるとき、ひねり部（１５０）がリング保持部（１２０）に生成され、連結部（１３１）は、ドローイング加工に伴う曲げ作用を受けない。図５〜図７及び図１２を参照して、一実施例の釣り糸ガイドがひねり部によって有する特徴的形状を説明する。図１２は、一実施例による釣り糸ガイドの側面図と背面図を共に示し、釣り糸ガイドの構成要素の輪郭線を概略的に示す。図１２で、直線（ＰＬ１）は、リング保持部（１２０）と第１支脚部（１３０）との間の連結部の位置を指し、直線（ＰＬ２）は、リング保持部（１２０）と第２支脚部（１４０）との間の連結部の位置を指す。また、図１２で、曲線（１２８ＣＯ）は、リング保持部（１２０）の外周輪郭線（外周部の外周輪郭線）を指し、曲線（１２８ＣＩ）は、リング保持部（１２０）の内周輪郭線（環状部の内周輪郭線）を指す。
【００６７】
連結部（１３１）で、第１支脚部（１３０）の前面（１３５ＳＦ）とリング保持部（１２０）の前端面（外周部（１２３）の前方下側表面）は、曲がっていない平らな表面をなす。詳細には、図１２に示すように、釣り糸ガイドを側方から見るとき、連結部（１３１）で、リング保持部（１２０）の前方輪郭線（１２７ＣＦ）と第１支脚部（１３０）の前方輪郭線（１３７ＣＦ）は直線をなす。また、前方輪郭線（１３７ＣＦ）の一部となる湾曲部（１３２）の前方輪郭線は、リング保持部（１２０）の前方輪郭線（１２７ＣＦ）から前方に向かう曲線となる。即ち、釣り糸ガイドを側方から見るとき、湾曲部（１３２）の前方輪郭線は、リング保持部（１２０）の前方輪郭線（１２７ＣＦ）上にまたはリング保持部（１２０）の前方輪郭線（１２７ＣＦ）より前方に位置する。従って、釣り糸ガイド（１００）は、リング保持部（１２０）と第１支脚部（１３０）との間に釣り糸の引っ掛かりを引き起こす凹部を有さない。第１支脚部（１３０）は、リング保持部（１２０）の前方輪郭線（１２７ＣＦ）より前方に位置する。詳細には、第１支脚部（１３０）の支持部（１３３）がリング保持部（１２０）の前方輪郭線（１２７ＣＦ）から前方に位置し、リング保持部（１２０）の前方輪郭線（１２７ＣＦ）より後方に位置しない。
【００６８】
釣り糸ガイド（１００）を後方から見るとき、ひねり部（１５０）の外周輪郭線（１５２ＣＯ）は、リング保持部（１２０）の外周輪郭線（１２８ＣＯ）の一部を形成し、ひねり部（１５０）の内周輪郭線（１５２ＣＩ）は、リング保持部（１２０）の内周輪郭線（１２８ＣＩ）と繋がる。釣り糸ガイド（１００）を側方から見るとき、ひねり部（１５０）の外周輪郭線（１５２ＣＯ）は、第１支脚部（１３０）の前方輪郭線（１３７ＣＦ）と切断なしに繋がる。ひねり部（１５０）の外周輪郭線（１５２ＣＯ）は、第１支脚部（１３０）の前方輪郭線（１３７ＣＦ）に向かって捻られた曲線となる。また、釣り糸ガイド（１００）を側方から見るとき、ひねり部（１５０）の内周輪郭線（１５２ＣＩ）は、第１支脚部（１３０）の後方輪郭線（１３７ＣＲ）と切断なしに繋がる。ひねり部（１５０）の内周輪郭線（１５２ＣＩ）は、第１支脚部（１３０）の後方輪郭線（１３７ＣＲ）に向かって捻られた曲線となる。
【００６９】
図１３〜図１９を参照し、一実施例による釣り糸ガイドでの釣り糸の糸絡みが発生する例と糸絡みが解除される例を説明する。
【００７０】
図１３を参照すると、ガイドリング（１１０）を通過する釣り糸（１５）には、風によりまたは釣り糸を弛ませるユーザーの操作により上方の力が加えられることがある。図１４を参照すると、釣り糸（１５）は、リング保持部（１２０）を覆い被せながらリング保持部（１２０）に巻かれ得る。図１５を参照すると、釣り糸（１５）がリング保持部（１２０）の下側で第１支脚部（１３０）に巻かれて糸絡み部（１５Ｅ）が発生し得る。図１５に示す釣り糸の糸絡みの状態で、後方方向（ＢＤ）に位置する釣り糸の一部（１５Ｒ）が釣り糸に加えられる力によりまたはユーザーにより上方に移動することができる。これにより、釣り糸の糸絡み部（１５Ｅ）は、第１支脚部（１３０）からリング保持部（１２０）を介して上方へ抜かれることができる。リング保持部（１２０）と第１支脚部（１３０）との間には、凹部が存在しない。これにより、糸絡み部（１５Ｅ）は、第１支脚部（１３０）からリング保持部（１２０）に円滑に滑りながら移動することができる。図１６及び図１７を参照すると、釣り糸（１５）の糸絡み部（１５Ｅ）が上方に抜けるときに、糸絡み部（１５Ｅ）は外周部（１２３）の曲面（１２６）に接触する。このような曲面（１２６）により釣り糸（１５）とリング保持部（１２０）との間の摩擦抵抗が減少して、釣り糸（１５）は上方へ容易に滑ることができる。図１８及び図１９を参照すると、釣り糸（１５）の覆い被さった状態がガイドリング（１１０）の中心より上方に移動すると、後方方向（ＢＤ）の釣り糸の一部（１５Ｒ）が少ない力で引っ張られることにより、釣り糸（１５）はリング保持部（１２０）に沿って上方に抜けることができる。
【００７１】
図２０及び図２１は、釣り糸の糸絡みが容易に解除され得ない比較例による釣り糸ガイドを示す。図２０を参照すると、第１支脚部（１３０Ｃ１）がリング保持部（１２０Ｃ１）の環状部（１２４Ｃ１）から曲がった比較例の釣り糸ガイドでは、リング保持部（１２０Ｃ１）と第１支脚部（１３０Ｃ１）との間に凹部（ＣＰ）が形成されている。これにより、釣り糸（１５）の糸絡み部（１５Ｅ）が凹部（ＣＰ）に引っ掛かるため、後方方向の釣り糸の一部（１５Ｒ）に力が加えられても、糸絡み部（１５Ｅ）は上方へ抜け難い。図２１を参照すると、リング保持部（１２０Ｃ２）が直角の稜を有する比較例の釣り糸ガイドでは、釣り糸（１５）がリング保持部（１２０Ｃ２）の直角の稜と接触する。これにより、釣り糸（１５）とリング保持部（１２０Ｃ２）との間の摩擦が大きくなり、釣り糸（１５）は上方へ抜け難い。
【００７２】
実施例の釣り糸ガイドは、金属シートをブランキングして得られたブランクから加工され得る。ブランクを実施例の釣り糸ガイドの形状にプレス加工（ドローイング、曲げなど）して、実施例の釣り糸ガイドが加工され得る。図２２〜図３０を参照し、一実施例の釣り糸ガイドの製造に用いられるブランクとこのようなブランクから一実施例の釣り糸ガイドのリング保持部を加工する例を説明する。
【００７３】
図２２は、一実施例の釣り糸ガイドの製造に用いられるブランクを示す。図２２を参照すると、ブランク（２００）は、頭部（２１０）と、第１脚部（２２０）と、一対の第２脚部（２３０）とを含む。他の実施例のブランク（２００）は、頭部（２１０）と第１脚部（２２０）のみを含むこともできる。頭部（２１０）を円筒状にドローイングして、頭部（２１０）が実施例のリング保持部に加工される。第１脚部（２２０）は、頭部（２１０）の下端から延長する。第１脚部（２２０）は、その自由端に第１足部（２２１）を有する。第１脚部（２２０）をペンディングして、第１脚部（２２０）が実施例の釣り糸ガイドの第１支脚部に加工される。一対の第２脚部（２３０）は、頭部（２１０）の側端からそれぞれ延長し、その自由端に第２足部（２３１）を有する。第２脚部（２３０）をペンディングして、第２脚部（２３０）が一実施例の第２支脚部に加工される。第１脚部（２２０）と第２脚部（２３０）のペンディングは、頭部（２１０）がリング保持部に完全に加工された後に行われることができる。
【００７４】
図２３は、ブランクの頭部と脚部の一部を概略的に示す。図２３を参照すると、頭部（２１０）は、中央に円形開口が形成されており、略円形の板の形状を有する。頭部（２１０）は、頭部（２１０）の外周部を形成する曲げ縁部（２１１,２１２）を有する。曲げ縁部（２１１,２１２）が頭部（２１０）の厚さ方向に曲げられて、実施例のリング保持部の外周部及び環状部を形成する。曲げ縁部（２１１,２１２）は略環状をなし、頭部（２１０）は曲げ縁部（２１１,２１２）の内側に円形の非曲げ部（２１３）を有する。
【００７５】
曲げ縁部（２１１,２１２）は、一対の第１曲げ縁部（２１１）と、第２曲げ縁部（２１２）とを含む。一対の第１曲げ縁部（２１１）は、非曲げ部（２１３）の外周に沿って延長して頭部（２１０）の外周部の一部を形成する。一対の第１曲げ縁部（２１１）は、第１脚部（２２０）にそれぞれ隣接して頭部（２１０）の円周方向に延長する。各第１曲げ縁部（２１１）は、第１脚部（２２０）から遠ざかるほど半径方向に増加する第１曲げ幅（ＢＷ１）を有する。第２曲げ縁部（２１２）は、一対の第１曲げ縁部（２１１）の間に位置して頭部（２１０）の外周部の一部を形成する。第２曲げ縁部（２１２）は、半径方向に一定の第２曲げ幅（ＢＷ２）を有する。頭部（２１０）のドローイングの際に、第１曲げ縁部（２１１）が非曲げ部（２１３）に対して曲げられるに伴い、第１曲げ縁部（２１１）の外周面（２１４）が前述のひねり部として形成される。また、頭部（２１０）のドローイングの際に、第２曲げ縁部（２１２）が非曲げ部（２１３）に対して曲げられるに伴い、第２曲げ縁部（２１２）の外周面（２１５）が前述のリング保持部の環状部の一部として形成される。
【００７６】
第１脚部（２２０）が頭部（２１０）に連結される連結部（２２２）が、実施例による第１支脚部の連結部となる。第１脚部（２２０）の連結部（２２２）は、頭部（２１０）のドローイングの際にドローイングされない。即ち、第１曲げ縁部（２１１）と第２曲げ縁部（２１２）が非曲げ部（２１３）に対して曲げられるとき、連結部（２２２）は、曲げ作用を受けない。一対の第２脚部（２３０）は、頭部（２１０）の第２曲げ縁部（２１２）からそれぞれ延長する。この実施例において、一対の第１曲げ縁部（２１１）は、第１脚部（２２０）が頭部（２１０）に連結される連結部（２２２）と一対の第２脚部（２３０）が第２曲げ縁部（２１２）に連結される連結部（２３２）との間にそれぞれ位置する。各第１曲げ縁部（２１１）の上端は、連結部（２３２）の下端と隣接し得る。他の実施例として、連結部（２３２）は、円周方向に第１曲げ縁部（２１１）から離隔されることもできる。
【００７７】
図２４はブランクの頭部と支脚部の一部を示し、頭部の輪郭線を示す。第１曲げ縁部（２１１）は、非曲げ部（２１３）の中心点（ＣＨ）に対して第１内角（ＩＡ１）を有する円弧状を取り、第２曲げ縁部（２１２）は、中心点（ＣＨ）に対して第２内角（ＩＡ２）を有する円弧状を取る。図２４において、第１ 内角（ＩＡ１）は鈍角であり、第２内角（ＩＡ２）は第１内角（ＩＡ１）より大きい。他の例として、第２脚部（２３０）の位置により、第１内角（ＩＡ１）は１８０度以上であってもよく、第２ 内角（ＩＡ２）は第１内角（ＩＡ１）より小さいこともある。また、頭部（２１０）の外周輪郭線は、第１曲げ縁部（２１１）の縁である第１外周輪郭線（２１６ＣＯ）と、第２曲げ縁部（２１２）の縁である第２外周輪郭線（２１７ＣＯ）とを有する。第１外周輪郭線（２１６ＣＯ）は、第２外周輪郭線（２１７ＣＯ）の曲率より小さい曲率を有する。これにより、第１外周輪郭線（２１６ＣＯ）は、中心点（ＣＨ）を中心として第２外周輪郭線（２１７ＣＯ）を含む仮想円（ＩＣ）の円周線から内側に位置する曲線をなす。これにより、頭部（２１０）は、第２外周輪郭線（２１７ＣＯ）を含む仮想円（ＩＣ）の面積より小さい面積を有する。即ち、頭部（２１０）は、仮想円（ＩＣ）の面積からハッチング領域（ＨＡ）を除く面積を有する。従来技術による釣り糸ガイド用ブランクは、仮想円（ＩＣ）の面積を有する頭部を有する。しかし、本開示の一実施例による頭部（２１０）は、仮想円（ＩＣ）の円周線より内側に位置する第１外周輪郭線（２１６ＣＯ）を有するため、頭部（２１０）から加工されるリング保持部は軽量を有し、これにより、一実施例の釣り糸ガイドも軽量を有する。図２４において、仮想線（ＩＬ１）と仮想線（ＩＬ２）は、頭部（２１０）をドローイングして形成されるリング保持部の外周輪郭線（図１２に示す外周部の外周輪郭線）及びリング保持部の内周輪郭線（図１２に示す環状部の内周輪郭線）にそれぞれ対応することができる。
【００７８】
一例として、頭部（２１０）は、ドローイングダイ（ｄｒａｗｉｎｇ  ｄｉｅ）とドローイングパンチ（ｄｒａｗｉｎｇ  ｐｕｎｃｈ）を用いてリング保持部にドローイング加工により加工され得る。図２５は、ドローイング前のブランクの頭部、ドローイングダイ及びドローイングパンチを概略的に示す。図２６Ａ〜図２６Ｄは、図２５の８１−８１線、８２−８２線、８３−８３線及び８４−８４線に沿って取った概略的な断面形状をそれぞれ示す。図２５〜図２６Ｄを参照して、ドローイング前の頭部とドローイングダイとの間の配置を説明する。
【００７９】
図２５を参照すると、ドローイングダイ（３１０）はその中に、リング保持部の環状部に対応する直径を有するドローイング孔（３１１）を有する。ドローイングパンチ（３２０）は、環状部の内径に対応する直径を有する。また、ドローイングパンチ（３２０）は、頭部の非曲げ部に対応する直径を有する。ドローイングダイ（３１０）とドローイングパンチ（３２０）との間に頭部（２１０）を位置させる。ドローイングパンチ（３２０）で頭部（２１０）をドローイング孔（３１１）に押し込んで、頭部（２１０）に対するドローイング加工が行われることができる。即ち、ドローイングパンチ（３２０）がドローイング孔（３１１）に挿入されながら頭部（２１０）の第１及び第２曲げ縁部（２１１，２１２）を非曲げ部（２１３）に対して曲げて、頭部（２１０）がリング保持部に加工される。頭部（２１０）がリング保持部の環状体にドローイングされながら、リング保持部に前述のひねり部が形成されるものの、第１脚部（２２０）の連結部（２２２）には曲げ作用が加えられない。図２５において、参照番号（３１２）は、ドローイングダイ（３１０）の外周を指し、参照番号３１３は、ドローイング孔（３１１）を限定するドローイングダイ（３１０）の内周を指す。また、参照番号３２１は、ドローイングパンチ（３２０）の外周を指す。
【００８０】
図２５に示すように、第１曲げ縁部（２１１）と第２曲げ縁部（２１２）がドローイング孔（３１１）の外側でドローイングダイ（３１０）と重なるように、頭部（２１０）がドローイングダイ（３１０）に配置される。頭部（２１０）の外周部とドローイングダイ（３１０）の内周（３１３）との間には、重なり部（ＯＰ１，ＯＰ２）が存在する。第１曲げ縁部（２１１）の第１曲げ幅（ＢＷ１）が半径方向に増加する。これにより、第１曲げ縁部（２１１）とドローイングダイ（３１０）との間の第１重なり部（ＯＰ１）も、第１脚部（２２０）から遠ざかるほど拡大する半径方向幅を有する。第２曲げ縁部（２１２）の第２曲げ幅（ＢＷ２）は、半径方向に一定である。これにより、第２曲げ縁部（２１２）とドローイングダイ（３１０）との間の第２重なり部（ＯＰ２）は、ドローイングダイの内周（３１２）に沿って半径方向に一定の幅を有する。第１重なり部（ＯＰ１）は、第２脚部（２３０）から第１脚部（２２０）に向かって次第に狭くなる。即ち、図２５及び図２６Ｂに示すように、第１重なり部（ＯＰ１）は、第１脚部（２２０）へ行くほど狭くなり、図２６Ｄに示すように、第１脚部（２２０）の付近では、第１重なり部がほぼ存在しない。このように、頭部（２１０）の第１外周輪郭線（２１６ＣＯ）とドローイングダイ（３１０）の内周（３１３）との間の第１重なり部（ＯＰ１）が第１脚部（２２０）へ行くほど次第に減少するため、ドローイングされたリング保持部の幅（例えば、図１１に示す幅（ＲＷ２））も第１脚部（２２０）へ行くほど次第に減少する。
【００８１】
図２７は、ドローイングダイ、ドローイングパンチ及びドローイングされたブランクの頭部を概略的に示す。図２８Ａ〜図２８Ｄは、図２７の９１−９１線、９２−９２線、９３−９３線及び９４−９４線に沿って取った概略的な断面形状をそれぞれ示す。
【００８２】
図２８Ａ及び図２８Ｂに示すように、頭部のドローイングにより、リング保持部の外周部（１２３）と環状部（１２４）が形成される。頭部での第１曲げ縁部の外周輪郭線とドローイングダイ（３１０）の内周との間で、第１重なり部が第１脚部（２２０）の連結部（２２２）に向かって次第に減少する。従って、図２８Ｃに示すように、ひねり部のひねり面（１５１）は、リング保持部の環状部に対して所定の角度で傾いている。第１重なり部が存在しない第１脚部（２２０）に隣接した部分（即ち、第１脚部（２２０）の連結部（２２２）に隣接した部分）は、図２８Ｄに示すように、ドローイング加工の際に曲げ作用を受けないため、ドローイングされない。これにより、図２８Ｄに示すように、ひねり部（１５０）の下端及び連結部（２２２）の付近で、リング保持部（１２０）の幅（ＲＷ３）はドローイング前の頭部（２１０）の幅と同一であることができる。従って、実施例の釣り糸ガイドは、ひねり部（１５０）の下端及び第１支脚部の上端で同一の幅を有する。
【００８３】
このように、ブランクの頭部で、第１曲げ縁部の輪郭線とドローイングダイ（３１０）の内周（３１３）との間の第１重なり部が、第２脚部（２３０）と第１脚部（２２０）との間で第１脚部（２２０）へ行くほど次第に減少する。これにより、頭部を円筒状にドローイングしてリング保持部に加工するに伴い、頭部の第１曲げ縁部の外周面がひねり部（１５０）として形成され、ひねり部（１５０）は、リング保持部（１２０）内で外周部（１２３）の一部及び環状部（１２４）の一部を形成し、環状部（１２４）から外周部（１２３）に捻られる。
【００８４】
図２９は、ドローイングされた頭部の側面図と背面図を共に示す。ブランクの頭部（２１０）がリング保持部にドローイングされながら、リング保持部の環状部（１２４）と外周部（１２３）にひねり部（１５０）が形成される。ひねり部（１５０）の内周輪郭線（１５２ＣＩ）は、リング保持部（１２０）の内周輪郭線（１２８ＣＩ）の一部となり、ひねり部（１５０）の外周輪郭線（１５２ＣＯ）は、リング保持部（１２０）の外周輪郭線（１２８ＣＯ）の一部となる。また、頭部の第１曲げ縁部の外周面がひねり部（１５０）のひねり面（１５１）となる。
【００８５】
ブランクの頭部（２１０）がリング保持部に加工される途中、第１脚部（２２０）の連結部（２２２）には、曲げ作用が加えられない。連結部（２２２）の変形なしに、第１曲げ縁部が曲げられて、ひねり部（１５０）を形成する。ひねり部（１５０）の形成時、連結部（２２２）には金属材料を無理に伸ばす伸び作用を伴わない。これにより、ドローイングされたリング保持部において、第１支脚部の連結部には割れのような欠陥が形成されない。
【００８６】
第１脚部の連結部（２２２）がドローイング加工に伴う曲げ作用を受けないため、ドローイングされた頭部（２１０）の前端面と第１脚部（２２０）の連結部（２２２）（または第１支脚部の連結部）の表面は、曲がっていない平らな表面に維持され、リング保持部と第１支脚部との間には凹部が形成されない。このように、リング保持部は、頭部（２１０）に対するドローイング加工のみで形成され、第１脚部（２２０）は、曲げ作用を受けない。リング保持部がドローイング加工で完成された後、第１脚部（２２０）がリング保持部に対して連結部（２２２）の下端を曲げ開始点として前方方向に曲げられて、釣り糸ガイドの第１支脚部に加工され得る。
【００８７】
図２９を参照すると、外周部（１２３）の上端から第２脚部（２３０）の連結部（２３２）の下端までの、リング保持部（１２０）の幅（ＲＷ１）（即ち、リング保持部（１２０）の前端面と後端面との間の最小距離）は、一定である。第２脚部（２３０）の連結部（２３２）から第１脚部（２２０）の連結部（２２２）までの範囲において、リング保持部（１２０）の幅（ＲＷ２）（即ち、リング保持部（１２０）の前端面と後端面との間の最小距離）は、ひねり部（１５０）の上端から下端へ行くほど減少する。また、ひねり部（１５０）の下端でのリング保持部（１２０）の幅（ＲＷ３）と第１脚部（２２０）（または第１支脚部）の上端での幅（ＬＷ）は、同一である。
【００８８】
完成されたリング保持部（１２０）には、図５に示すリング保持孔（１２１）が形成される。図２９に示すドローイングされた頭部を内周輪郭線（１２８ＣＩ）より小さいサイズの孔が形成されるようにパンチング（ｐｕｎｃｈｉｎｇ）することで、リング保持孔がリング保持部に形成され得る。
【００８９】
図３０は、もう１つの実施例によるドローイングされた頭部の側面図と背面図を共に示す。図３０を参照すると、頭部（２１０Ａ）の第１曲げ縁部（２１１Ａ）は、図２９に示す第１曲げ縁部（２１１）より短い円周方向の長さを有し、頭部（２１０Ａ）の第２曲げ縁部（２１２Ａ）は、図２９に示す第２曲げ縁部（２１２）より長い円周方向の長さを有する。前述の実施例と比較し、ひねり部（１５０Ａ）はさらに短い円周方向の長さを有し、ひねり部（１５０Ａ）の始点は、第２脚部（２３０）の連結部（２３２）から所定距離だけ離隔している。これにより、一定の幅（ＲＷ１）を有する範囲がリング保持部で増加するだけでなく、図５に示す外周部の曲面（１２６）の範囲が増大する。これにより、絡んだ釣り糸が上方に抜けるときに、釣り糸の移動に加えられる抵抗がさらに減少することができる。図３０に示す実施例において、頭部（２１０Ａ）の第１曲げ縁部（２１１Ａ）における外周輪郭線は、リング保持部の外周輪郭線と異なる曲率の曲線をなすことができる。従って、図３０に示す実施例のブランクにおける、第１曲げ縁部（２１１Ａ）に位置する輪郭線は、リング保持部の輪郭線と同一の曲率をなすことができる。また、頭部（２１０Ａ）をドローイングするドローイングダイとドローイングパンチは、第１曲げ縁部（２１１Ａ）がひねり部（１５０Ａ）として形成されるように構成され得る。
【００９０】
図３１はもう１つの実施例による釣り糸ガイドの側面図と背面図を共に示す。図３１を参照すると、釣り糸ガイド（１００）のリング保持部（１２０）は、竿体の軸線に垂直に位置する。例えば、第１取付足（１３４）と第２取付足（１４３）を通る水平線に垂直にリング保持部（１２０）が位置する。第１支脚部（１３０Ａ）の連結部（１３１）は、リング保持部（１２０）に対して曲げられていない。第１支脚部（１３０Ａ）の湾曲部（１３２）と支持部（１３３）は、連結部（１３１）に対して円弧状に曲げられており、連結部（１３１）と湾曲部（１３２）との間の明確な曲げの開始点は、ほぼ存在しない。
【００９１】
本開示の技術的思想は、１つの支脚部を有する釣り糸ガイドにも適用され得る。図３２は、１つの支脚部を有する釣り糸ガイドを例示する背面図である。図３２を参照すると、釣り糸ガイド（１００）は、リング保持部（１２０）の下端から延長する第１支脚部（１３０）のみを有する。一対のひねり部（１５０）は、第１支脚部（１３０）から円周方向に沿って相反する方向に上方にそれぞれ延長し、環状部（１２４）から外周部（１２３）に第１支脚部（１３０）に向かって捻られる。
【００９２】
一実施例の釣り糸ガイドでは、第１支脚部に隣接した一対のひねり部がリング保持部に形成され、第１支脚部は、リング保持部のドローイング加工時に金属材料を無理に伸ばす曲げ作用を受けない。これにより、一実施例の釣り糸ガイドは、向上した撓み耐力を有する。
【００９３】
図３３と図３４を参照し、一実施例の釣り糸ガイドが有する向上した撓み耐力を説明する。図３３は、撓み耐力を測定するために行なわれた耐力測定試験で、荷重が加えられる例を示す。図３３の左側に示す実施例の釣り糸ガイドは、前述の実施例のうちの１つの釣り糸ガイドとなり得る。図３３の右側に示す比較例の釣り糸ガイドは、例えば、図１に示す従来技術の釣り糸ガイドとなり得る。撓み耐力を測定するために、釣り竿の竿体に平行にリング保持部に前方荷重（ＦＬ）と後方荷重（ＲＬ）が加えられることができる。
【００９４】
図３４は、図３３に示す撓み耐力測定試験の結果を表示する表である。各試験例において、実施例の釣り糸ガイドと比較例の釣り糸ガイドは、同一のサイズのリング保持部と第１支脚部とを有する。試験例１から試験例６へ行くほど、釣り糸ガイドはさらに大きいサイズを有する。各試験例において、前方荷重と後方荷重がリング保持部に加えられるとき、０．５ｍｍの撓みが発生するときに加えられた荷重が耐力として測定される。
【００９５】
図３４から分かるように、実施例の釣り糸ガイドは、比較例の釣り糸ガイドに比べて同一の前方荷重と後方荷重に対して向上した撓み耐力を有する。比較例の釣り糸ガイドの撓み耐力が小さい理由は、第１支脚部の連結部に金属材料を無理に伸ばす曲げ加工が行われたため、この連結部に座屈または割れが発生し、連結部の強度が低下するからである。しかし、実施例の釣り糸ガイドでは、リング保持部（１２０）の範囲内でドローイング加工が完結し、第１支脚部（１３０）はドローイング加工から影響を受けない。即ち、リング保持部（１２０）がドローイング加工に伴う曲げ作用を受けても、第１支脚部（１３０）の連結部（１３１）は曲げ作用を受けないため、連結部（１３１）が金属材料の本来の強度を保持することができる。
【００９６】
以上、一部の実施例と添付の図面に示す例により本開示の技術的思想が説明されたものの、本開示が属する技術分野で通常の知識を有する者が理解できる本開示の技術的思想及び範囲を逸脱しない範囲で多様な置換、変形及び変更がなされ得るという点を知っているべきである。また、そのような置換、変形及び変更は、添付の請求の範囲内に属するものと考えられるべきである。
【符号の説明】
【００９７】
１０  釣り竿、１１  竿体、１５  釣り糸、１００  釣り糸ガイド、１１０  ガイドリング、１２０  リング保持部、１２２  内周部、１２３  外周部、１２４  環状部、１２６  曲面、１２７ＣＦ  前方輪郭線、１３０  第１支脚部、１３１  連結部、１３２  湾曲部、１３５ＳＬ  側面、１３７ＣＦ  前方輪郭線、１３７ＣＲ  後方輪郭線、１４０  第２支脚部、１４１  連結部、１５０  ひねり部、１５１  ひねり面、１５２ＣＯ  外周輪郭線、１５２ＣＩ  内周輪郭線、１５３  第１面、１５４  第２面、１５５  第３面、ＲＷ１  リング保持部の幅、ＲＷ２  リング保持部の幅、ＲＷ３  リング保持部の幅、ＬＷ  第１支脚部の幅、２００  ブランク、２１０  頭部、２１１  第１曲げ縁部、２１２  第２曲げ縁部、２１４  外周面、２１５  外周面、２２０  第１脚部、２２２  連結部、２３０  第２脚部、２３２  連結部、ＢＷ１  第１曲げ幅、ＢＷ２  第２曲げ幅。
【図１】
2020036581.tif 000003
【図２】
2020036581.tif 000004
【図３Ａ】
2020036581.tif 000005
【図３Ｂ】
2020036581.tif 000006
【図３Ｃ】
2020036581.tif 000007
【図３Ｄ】
2020036581.tif 000008
【図４】
2020036581.tif 000009
【図５】
2020036581.tif 000010
【図６】
2020036581.tif 000011
【図７】
2020036581.tif 000012
【図８】
2020036581.tif 000013
【図９】
2020036581.tif 000014
【図１０】
2020036581.tif 000015
【図１１】
2020036581.tif 000016
【図１２】
2020036581.tif 000017
【図１３】
2020036581.tif 000018
【図１４】
2020036581.tif 000019
【図１５】
2020036581.tif 000020
【図１６】
2020036581.tif 000021
【図１７】
2020036581.tif 000022
【図１８】
2020036581.tif 000023
【図１９】
2020036581.tif 000024
【図２０】
2020036581.tif 000025
【図２１】
2020036581.tif 000026
【図２２】
2020036581.tif 000027
【図２３】
2020036581.tif 000028
【図２４】
2020036581.tif 000029
【図２５】
2020036581.tif 000030
【図２６Ａ】
2020036581.tif 000031
【図２６Ｂ】
2020036581.tif 000032
【図２６Ｃ】
2020036581.tif 000033
【図２６Ｄ】
2020036581.tif 000034
【図２７】
2020036581.tif 000035
【図２８Ａ】
2020036581.tif 000036
【図２８Ｂ】
2020036581.tif 000037
【図２８Ｃ】
2020036581.tif 000038
【図２８Ｄ】
2020036581.tif 000039
【図２９】
2020036581.tif 000040
【図３０】
2020036581.tif 000041
【図３１】
2020036581.tif 000042
【図３２】
2020036581.tif 000043
【図３３】
2020036581.tif 000044
【図３４】
2020036581.tif 000045